(57)【特許請求の範囲】
【請求項１】
正面側に開口する正面開口部を有する筐体と、
前記正面開口部を開閉自在に塞ぐために前記筐体に取り付ける前扉とを備え、メダル貸出機に隣接して設置されるスロットマシンであって、
前記メダル貸出機は、
遊技メダルの受け入れ投入部と、
前記受け入れ投入部に投入された遊技メダルをスロットマシンの遊技メダルのメダル投入口に移送するためのベルトと、
前記受け入れ投入部と外部とを直接連通させ、遊技メダルを排出するためのキャンセル開口と、
前記キャンセル開口を開閉自在な排出機構とを備え、
このメダル貸出機の前記キャンセル開口から排出された遊技メダルを受けるために、前記スロットマシンの側方に側部受け皿を設けると共に、この側部受け皿を前記スロットマシンの前記前扉側部に着脱自在に設け、
更に、前記側部受け皿は、
前記キャンセル開口から排出される遊技メダルを受け入れるために上方に向かって開口する側部受け皿本体と、
前記前扉の側部に固定されて、前記側部受け皿本体をスライドして固定させるためのスライド摺動部を有するスライド支持部と、
前記側部受け皿本体から延びて、前記スライド支持部の前記スライド摺動部の内部又は外部のうち、少なくともいずれか一方と係合してスライド可能なスライド部とを備え、
前記スライド部を、前記スライド支持部の前記スライド摺動部からスライドさせることによって、前記側部受け皿本体を、前記スライド支持部から着脱可能なように形成され、
前記筐体は、前記前扉を閉塞した際、前記側部受け皿本体を取り外す際の移動位置に突出することにより、前記スライド部が前記スライド支持部からスライドして外れることを阻止する阻止体を備えたことを特徴とするスロットマシン。
【請求項２】
前記スロットマシンは、
前記排出機構の前記キャンセル開口を開放させるための開放許可信号を出力するためのスロット側駆動制御手段と、
前記前扉が前記筐体の正面開口部を閉塞していることを検知して、閉塞検知信号を出力する前扉閉塞検知手段と、
前記側部受け皿が、前記前扉の側部に装着されていることを検知して、装着検知信号を出力する受け皿装着検知手段とを備え、
前記スロット側駆動制御手段は、
前記前扉閉塞検知手段から前記閉塞検知信号が出力され、且つ、前記受け皿装着検知手段から前記装着検知信号が出力されていることを条件として、前記排出機構を開放させるための開放許可信号を出力するようにしたことを特徴とする請求項１記載のスロットマシン。
【請求項３】
前記スロットマシンは、
前記側部受け皿内部に貯留した遊技メダルの量が予め定めた所定量を超えることを検知して、貯留量検知信号を出力する受け皿貯留量検知手段を備え、
前記スロット側駆動制御手段は、
前記受け皿貯留量検知手段から前記貯留量検知信号が出力されていないことを条件として、前記排出機構を開放させるための開放許可信号を出力するようにしたことを特徴とする請求項１又は請求項２に記載のスロットマシン。
【請求項４】
前記側部受け皿は、
前記キャンセル開口から排出される遊技メダルを受け入れるために上方に向かって開口する側部受け皿本体と、
前記前扉の側部に固定されて、前記側部受け皿本体をスライドして固定させるためのスライド摺動部を有するスライド支持部と、
前記側部受け皿本体から延びて、前記スライド支持部の前記スライド摺動部の内部又は外部のうち、少なくともいずれか一方と係合してスライド可能なスライド部とを備え、
前記スライド摺動部を、前記側部受け皿本体が前記前扉の奥方向に移動させることによって、外せるように奥方向に向かって案内するように形成し、
前記前扉の閉塞時、前記側部受け皿本体の奥方向への移動が前記筐体又は前記メダル貸出機によって阻止されるように形成したことを特徴とする請求項１から３のいずれか１項に記載のスロットマシン。
【発明の詳細な説明】
【技術分野】
【０００１】
この発明は、メダル貸出機からの返却メダルを受ける着脱式の側部受け皿を備えたスロットマシンに関するものである。
【背景技術】
【０００２】
従来、この種のスロットマシンに関連する技術として、スロットマシンに隣接して、このスロットマシンの筐体のメダル投入口に遊技メダルを一括投入させる一括投入装置を備えたメダル貸出機がある（例えば、特願２００４−１８０８９３。）。この一括投入装置は、搬送ベルトを送り出し方向とは、逆方向に駆動させて、遊技者に一括投入用の遊技メダルを返却メダルとして、貯留させるメダル貯留ボックスを備えている。そして、遊技者にメダル貯留ボックスの開閉蓋を開けさせ、返却用の遊技メダルを取り出すようにさせていた。
また、メダル貸出機から払い出される遊技メダルをスロットマシンの前扉の下皿内部に差し込むように可動させる可動ノズルによって、当該下皿へ移動させるものが知られている（例えば、特許文献１、特許文献２。）。
【特許文献１】特開２０００−３００７３３号公報
【特許文献２】特開平１１−３０９２３９号公報
【発明の開示】
【発明が解決しようとする課題】
【０００３】
しかし、上記した従来の技術では、返却する遊技メダルを、メダル貸出機の一括投入装置の下に設けたメダル貯留ボックスに貯留させると、返却する遊技メダルの取り出しが面倒且つ手間であると共に、かかる返却する遊技メダルの取り忘れが発生し易いという第１の問題点があった。
更に、特許文献１及び特許文献２に示すように返却する遊技メダルを可動ノズルで下皿へ移送するものは、移送距離が長く、手前側に形成する必要があるため、可動ノズルの破損や、故障が発生し易いといった第２の問題点があった。
更に、特許文献１及び特許文献２に示すように返却する遊技メダルを可動ノズルで下皿へ移送するものは、前扉の開放時に、下皿内部へと向かわせた可動ノズルを、前扉の開放に邪魔にならないように移動させる手間がかかり、又、可動ノズルを可動させなくてはならない為、構造が複雑になるといった第３の問題点があった。
【０００４】
そこで、各請求項にそれぞれ記載された各発明は、上記した従来の技術の有する問題点に鑑みてなされたものであり、その目的とするところは、次の点にある。
（請求項１）  すなわち、請求項１記載の発明は、上記した従来の技術の有する第１から第３の問題点に鑑みてなされたものであり、その目的とするところは、返却する遊技メダルを側部受け皿へ貯留させて、返却する遊技メダルの取り出しが容易で、取り忘れも発生し難く、また、側部受け皿をスロットマシンの側方に設けたので破損や故障も発生し難く、前扉の開放にも便利なスロットマシンを提供しようとするものである。
更に、請求項１記載の発明は、前扉を開放した状態でなければ、阻止体によりスライド部及び側部受け皿本体を外すことができず、遊技者等が、自由に側部受け皿を取り外すことを防止することができるようにしたスロットマシンを提供しようとするものである。
（請求項２）  請求項２記載の発明は、上記した請求項１記載の発明の目的に加え、次の点を目的とする。すなわち、請求項２記載の発明は、側部受け皿を取り付けているが、扉を開いた状態であるため、側部受け皿が所定位置に無いような場合や、前扉は閉塞状態であるが、側部受け皿が所定位置に取り付けられていないような場合に、キャンセル開口が開放されて、返却される遊技メダルが排出されることを回避することができるようにしたスロットマシンを提供しようとするものである。
【０００５】
（請求項３）  請求項３記載の発明は、上記した請求項１又は請求項２記載の発明の目的に加え、次の点を目的とする。すなわち、請求項３記載の発明は、側部受け皿から遊技メダルが溢れてしまうようなことを回避することができるようにしたスロットマシンを提供しようとするものである。
【０００６】
（請求項４）  請求項４記載の発明は、上記した請求項１乃至３のいずれか１項に記載の発明の目的に加え、次の点を目的とする。すなわち、請求項４記載の発明は、前扉を開放した状態でなければ、筐体又はメダル貸出機により奥方向へスライド部及び側部受け皿本体を移動させることができず、遊技者等が、自由に側部受け皿を取り外すことを防止することができるようにしたスロットマシンを提供しようとするものである。
【課題を解決するための手段】
【０００７】
（請求項１）
（特徴点）  請求項１記載の発明は、次の点を特徴とする。すなわち、正面側に開口する正面開口部を有する筐体(4)と、前記正面開口部を開閉自在に塞ぐために前記筐体(4)に取り付ける前扉(13)とを備え、メダル貸出機(2)に隣接して設置されるスロットマシン(1)であって、前記メダル貸出機(2)は、遊技メダルの受け入れ投入部(48)と、前記受け入れ投入部(48)に投入された遊技メダルをスロットマシン(1)の遊技メダルのメダル投入口(10)に移送するためのベルト(53)と、前記受け入れ投入部(48)と外部とを直接連通させ、遊技メダルを排出するためのキャンセル開口(49)と、前記キャンセル開口(49)を開閉自在な排出機構(80)とを備え、このメダル貸出機(2)の前記キャンセル開口(49)から排出された遊技メダルを受けるために、前記スロットマシン(1)の側方に側部受け皿(300)を設けると共に、この側部受け皿(300)を前記スロットマシン(1)の前記前扉(13)側部に着脱自在に設け、更に、前記側部受け皿(300)は、前記キャンセル開口(49)から排出される遊技メダルを受け入れるために上方に向かって開口する側部受け皿本体(310)と、前記前扉(13)の側部に固定されて、前記側部受け皿本体(310)をスライドして固定させるためのスライド摺動部(324)を有するスライド支持部(320)と、前記側部受け皿本体(310)から延びて、前記スライド支持部(320)の前記スライド摺動部(324)の内部又は外部のうち、少なくともいずれか一方と係合してスライド可能なスライド部(330)とを備え、前記スライド部(330)を、前記スライド支持部(320)の前記スライド摺動部(324)からスライドさせることによって、前記側部受け皿本体(310)を、前記スライド支持部(320)から着脱可能なように形成され、前記筐体(4)は、前記前扉(13)を閉塞した際、前記側部受け皿本体(310)を取り外す際の移動位置に突出することにより、前記スライド部(330)が前記スライド支持部(320)からスライドして外れることを阻止する阻止体(340)を備えたことを特徴とする。
【０００８】
（作用）  本発明に係る側部受け皿(300)は、メダル貸出機(2)のキャンセル開口(49)からの遊技メダルを受ける。これにより、メダル貸出機(2)から返却される遊技メダルを、この側部受け皿(300)へ受け入れ、そのまま貯留することができる。
そして、側部受け皿(300)は、かかる返却する遊技メダルをスロットマシン(1)の側方で受けるように、スロットマシン(1)の前扉(13)側部に着脱自在に形成されている。このように、側部受け皿(300)は、スロットマシン(1)の前扉(13)の側部に形成されてあり、遊技者から見て、大変、目立つ位置に形成されている。これにより、返却された遊技メダルを、取り忘れることを回避することができる。また、側部受け皿(300)は、前扉(13)の側部に位置しているため、手前側に向かって突出することなく、邪魔になることもなく、遊技者の手足が当たって、故障や破損することも無い。
【０００９】
そして、側部受け皿(300)は、スロットマシン(1)の側方に設けているため、スロットマシン(1)の前扉(13)を開放する際、側部受け皿(300)へのノズル（具体的には、蛇腹ノズル(301)）等が、開放する前扉(13)を邪魔することがない。このため、かかるノズル（蛇腹ノズル(301)）等を、移動させるような手間が不要となる。また、かかるノズル等を可動ノズルにする必要がないため、可動ノズルと比べてノズルの構造を簡単なものにすることができる。
本発明は、前扉(13)を閉塞した際、阻止体(340)が、側部受け皿本体(310)を取り外す際の移動位置に突出している。これにより、前扉(13)を閉塞した状態では、側部受け皿本体(310)を、スライド支持部(320)からスライド移動させて取り外すことができなくなる。したがって、前扉(13)を開放した状態でなければ、側部受け皿本体(310)をスライド支持部(320)から外すことができず、遊技者等が、自由に側部受け皿本体(310)を取り外すようなことを防止することができる。
（請求項２）
（特徴点）  請求項２記載の発明は、上記した請求項１記載の発明の特徴点に加え、次の点を特徴とする。すなわち、前記スロットマシン(1)は、前記排出機構(80)の前記キャンセル開口(49)を開放させるための開放許可信号を出力するためのスロット側駆動制御手段(450)と、前記前扉(13)が前記筐体(4)の正面開口部を閉塞していることを検知して、閉塞検知信号を出力する前扉閉塞検知手段(400)と、前記側部受け皿(300)が、前記前扉(13)の側部に装着されていることを検知して、装着検知信号を出力する受け皿装着検知手段(410)とを備え、前記スロット側駆動制御手段(450)は、前記前扉閉塞検知手段(400)から前記閉塞検知信号が出力され、且つ、前記受け皿装着検知手段(410)から前記装着検知信号が出力されていることを条件として、前記排出機構(80)を開放させるための開放許可信号を出力するようにしたことを特徴とする。
【００１０】
（作用）  本発明は、スロット側駆動制御手段(450)は、前扉閉塞検知手段(400)から閉塞検知信号が出力され、且つ、受け皿貯留量検知手段(420)から装着検知信号が出力されていることを条件として、排出機構(80)を開放させるための開放許可信号を出力する。すなわち、スロット側駆動制御手段(450)は、前扉(13)が筐体(4)の正面開口部を閉塞し、且つ、側部受け皿(300)が前扉(13)の側部に装着されていなければ、開放許可信号を出力せず、キャンセル開口(49)を開放させることはない。これにより、前扉(13)を開いた状態で、側部受け皿(300)が所定位置に無いような場合や、前扉(13)は閉塞状態であるが、側部受け皿(300)が所定位置に取り付けられていないような場合には、キャンセル開口(49)が開放されることことはなく、誤ってかかる場合に、キャンセル開口(49)から返却される遊技メダルが排出されて、床へ散乱するようなことを回避することができる。また、かかる場合に、いわゆるゴトを実施しようとしても、キャンセル開口(49)が開放されず、遊技メダルの排出が行われず、ゴト対策にもなる。
【００１１】
（請求項３）
（特徴点）  請求項３記載の発明は、上記した請求項１又は請求項２記載の発明の特徴点に加え、次の点を特徴とする。すなわち、前記スロットマシン(1)は、前記側部受け皿(300)内部に貯留した遊技メダルの量が予め定めた所定量を超えることを検知して、貯留量検知信号を出力する受け皿貯留量検知手段(420)を備え、前記スロット側駆動制御手段(450)は、前記受け皿貯留量検知手段(420)から前記貯留量検知信号が出力されていないことを条件として、前記排出機構(80)を開放させるための開放許可信号を出力するようにしたことを特徴とする。
【００１２】
（作用）  本発明は、側部受け皿(300)内部に貯留した遊技メダルの量が予め定めた所定量を超えて、受け皿貯留量検知手段(420)から貯留検知信号が出力されると、スロット側駆動制御手段(450)は、開放許可信号を出力せず、キャンセル開口(49)を開放させない。これにより、側部受け皿(300)が貯留量が多く、それ以上、更に、遊技メダルが追加されると、側部受け皿(300)から溢れてしまうようなことを回避することができる。
【００１３】
（請求項４）
（特徴点）  請求項４記載の発明は、上記した請求項１乃至３のいずれか１項に記載の発明の特徴点に加え、次の点を特徴とする。すなわち、前記側部受け皿(300)は、前記キャンセル開口(49)から排出される遊技メダルを受け入れるために上方に向かって開口する側部受け皿本体(310)と、前記前扉(13)の側部に固定されて、前記側部受け皿本体(310)をスライドして固定させるためのスライド摺動部(324)を有するスライド支持部(320)と、前記側部受け皿本体(310)から延びて、前記スライド支持部(320)の前記スライド摺動部(324)の内部又は外部のうち、少なくともいずれか一方と係合してスライド可能なスライド部(330)とを備え、前記スライド摺動部(324)を、前記側部受け皿本体(310)が前記前扉(13)の奥方向に移動させることによって、外せるように奥方向に向かって案内するように形成し、前記前扉(13)の閉塞時、前記側部受け皿本体(310)の奥方向への移動が前記筐体(4)又は前記メダル貸出機(2)によって阻止されるように形成したことを特徴とする。
【００１４】
（作用）  本発明は、前扉(13)の閉塞時、側部受け皿本体(310)の奥方向への移動が、筐体(4)又はメダル貸出機(2)によって阻止される。これにより、前扉(13)を閉塞している状態では、側部受け皿本体(310)を奥方向へ移動することができず、側部受け皿本体(310)を取り外すことができない。これにより、遊技者等が、自由に側部受け皿本体(310)を取り外すようなことを防止することができる。
【発明の効果】
【００１５】
本発明は、以上のように構成されているので、以下に記載されるような効果を奏する。
（請求項１）  請求項１記載の発明によれば、次のような効果を奏する。すなわち、請求項１記載の発明によれば、返却する遊技メダルを側部受け皿へ貯留させて、返却する遊技メダルの取り出しが容易で、取り忘れも発生し難く、また、側部受け皿をスロットマシンの側方に設けたので破損や故障も発生し難く、前扉の開放にも便利なスロットマシンを提供することができる。
更に、請求項１記載の発明によれば、前扉を開放した状態でなければ、阻止体によりスライド部及び側部受け皿本体を外すことができず、遊技者等が、自由に側部受け皿を取り外すことを防止することができるようにしたスロットマシンを提供することができる。
（請求項２）  請求項２記載の発明によれば、上記した請求項１記載の発明の効果に加え、次のような効果を奏する。すなわち、請求項２記載の発明によれば、側部受け皿を取り付けているが、扉を開いた状態であるため、側部受け皿が所定位置に無いような場合や、前扉は閉塞状態であるが、側部受け皿が所定位置に取り付けられていないような場合に、キャンセル開口が開放されて、返却される遊技メダルが排出されることを回避することができるようにしたスロットマシンを提供することができる。
【００１６】
（請求項３）  請求項３記載の発明によれば、上記した請求項１又は請求項２記載の発明の効果に加え、次のような効果を奏する。すなわち、請求項３記載の発明によれば、側部受け皿から遊技メダルが溢れてしまうようなことを回避することができるようにしたスロットマシンを提供することができる。
【００１７】
（請求項４）  請求項４記載の発明によれば、上記した請求項１乃至３のいずれか１項に記載の発明の効果に加え、次のような効果を奏する。すなわち、請求項５記載の発明によれば、前扉を開放した状態でなければ、筐体又はメダル貸出機により奥方向へスライド部及び側部受け皿本体を移動させることができず、遊技者等が、自由に側部受け皿を取り外すことを防止することができるようにしたスロットマシンを提供することができる。
【発明を実施するための最良の形態】
【００１８】
（第１の形態）
（図面の説明）
図１乃至図９は、本発明の第１の形態を示すものである。
図１はメダル移送機構の縦断面図、図２はスロットマシン及びメダル貸出機の外観斜視図、図３はメダル移送機構及びメダル投入口の拡大斜視図、図４はメダル送り装置の外観斜視図、図５はメダル送り装置の縦断面斜視図、図６は側部受け皿及びスライド支持部の分解斜視図、図７は側部受け皿及びスライド支持部の外観正面図であって、（Ａ）は側部受け皿をスライド支持部に装着した状態の外観正面図、（Ｂ）は側部受け皿をスライド支持部から取り外す状態の外観正面図、図８は光伝達手段の部分概略平面図、図９は光伝達手段に関連するスロットマシン及びメダル貸出機のブロック図をそれぞれ示す。
【００１９】
本形態におけるメダル貸出機2は、スロットマシン1に隣接して設置され、一台のスロットマシンに一機ずつ対応するように設けられている。
なお、ここで、「前面」や「前方向」や「手前方向」とは、交換作業者（或いは遊技者）が、遊技機Sの正面側の前に遊技機Sの方に顔を向けて座って、或いは、立っているような場合のかかる交換作業者（或いは遊技者）から見た場合の奥から手前への方向を意味する。したがって、前方向や手前方向とは、遊技機Sの奥から正面へ向かう方向を意味する。
また、「背面」や「後方向」や「奥方向」とは、交換作業者（或いは遊技者）が、遊技機Sの正面側に遊技機Sの方を向いて位置しているような場合のかかる交換作業者（或いは遊技者）から見たときの手前から奥への方向を意味する。したがって、後方向とは、遊技機Sの正面から奥（後ろ）へ向かう方向を意味する。また、本明細書における「左方向」や「右方向」等の左右方向も、かかる遊技機Sの前面の方を向いて位置している者から見た場合の右方向や、左方向を意味する。
【００２０】
（スロットマシン1）
前記スロットマシン1は、図２に示すように、正面側に開口する正面開口部を有する四角箱状の筐体4と、その筐体4の正面側に取り付けられるともに、前記正面開口部を開閉自在に塞ぐための前扉13とを備えている。ここで、前扉13は、特に図示していないが、筐体4の正面開口部の上半分である開口上部を開閉自在な上扉と、筐体4の正面開口部の下半分である開口下部を開閉自在な下扉とを備えている。もちろん、前扉13は、かかる上扉と下扉とに分割されていない１枚ものでも良いものである。そして、前扉13の正面側には回転リール（図示せず）の図柄を視認可能な図柄表示窓14が形成されている。また、この図柄表示窓14の下方でありスロットマシン1の略中央部は、スタートスイッチやストップスイッチなどの操作手段が設けられる操作部16となっている。そして、この操作部16の正面右端部には、遊技メダルを投入するためのメダル投入口10が設けられている。なお、特に図示しないが、メダル投入口10の下方には、遊技メダルの真贋を判断すると共に投入メダルをカウントするためのメダルセレクターが設けられている。また、スロットマシン1の下部には、払い出しメダルを貯留可能な下皿15が設けられている。
【００２１】
ここで、メダル投入口10は、図３に示すように、上方から遊技メダルを１枚ずつ投入可能な上部投入開口11と、上部投入開口11の側方に凹溝状に連通する側方移送通路12とを有している。この側方移送通路12は、上部投入開口11から正面右側（メダル貸出機2側）に延設された樋状の通路であって、後述する投入口導入路60から送られてくる遊技メダルを受け入れ、上部投入開口11に移送するためのものである。
そして、メダル投入口10から遊技メダルを投入し、スタートスイッチの操作により回転リールを回転させ、ストップスイッチの操作により回転リールを停止させ、このとき、複数の回転リールに表示された図柄が所定の位置態様に停止すると入賞となり、所定枚数の遊技メダルが払い出されるように形成されているものである。
【００２２】
前記スロットマシン1の前扉13の右側の側面には、後述するメダル貸出機2から排出された遊技メダルを受けるための側部受け皿300が着脱自在に設けられている。この側部受け皿300は、スロットマシン1の正面から向かって右側に隣接するメダル貸出機2の遊技メダルの一括投入装置3から排出される遊技メダルや異物等を受けるものである。
（側部受け皿300）
前記側部受け皿300は、スロットマシン1に隣接するメダル貸出機2の遊技メダルの一括投入装置3から排出される遊技メダルをスロットマシン1の側方で受けるものであって、スロットマシン1の前扉13側部に着脱自在に設けられているものである。そして、側部受け皿300は、後述するメダル貸出機2の一括投入装置3のキャンセル開口49から排出された遊技メダルが蛇腹ノズル301を介して移動可能に連通するように形成されている。
【００２３】
前記側部受け皿300は、キャンセル開口49から排出される遊技メダルを受け入れるために上方に向かって開口する側部受け皿本体310と、前扉13の側部に固定されて、側部受け皿本体310を上下方向にスライドして固定させるためのスライド摺動部324を有するスライド支持部320と、側部受け皿本体310から延びて、スライド支持部320のスライド摺動部324の内部をスライド可能なスライド部330とを備えている。そして、側部受け皿300は、スライド部330を、スライド支持部320のスライド摺動部324から上下方向にスライドさせることによって、側部受け皿本体310を、スライド支持部320から着脱可能なように形成されている。
【００２４】
更に、具体的に説明する。前記側部受け皿本体310は、図６に示すように、全体形状が略箱状で上方に向かって開口する受け皿ボックス313と、この受け皿ボックス313の下面に固定されて、受け皿ボックス313の荷重をスライド支持部320へ伝達するための補強支持リブ312とを備えている。
前記蛇腹ノズル301は、全体形状が筒状であって、フレキシブルに形状を変形することができるとともに、その変形した状態を維持することができるように形成されている。この蛇腹ノズル301は、その開口上端がキャンセル開口49から排出された遊技メダルを受け取り可能なようにキャンセル開口49の下端に取り付けられている。そして、蛇腹ノズル301の下端は、側部受け皿本体310の受け皿ボックス313の奥側の上面に位置するように設定されている。
【００２５】
前記受け皿ボックス313の内部の略中央上部には、左右方向に渡された円柱状の金属棒であるメダル飛散防止棒311が固定されている。このメダル飛散防止棒311は、蛇腹ノズル301の下端開口から落下してきた遊技メダルが、受け皿ボックス313の底面に勢いよく当たって、受け皿ボックス313から飛び出すことを抑えることができるように形成されているものである。すなわち、蛇腹ノズル301から勢いよく落下してきた遊技メダルが、メダル飛散防止棒311に直接、当たった場合には、その衝突により落下してきた遊技メダルの落下スピードを落とすことができ、受け皿ボックス313の底面に直接勢いよく、衝突して跳ね返ることを抑えることができる。また、蛇腹ノズル301から勢いよく落下してきた遊技メダルが、受け皿ボックス313の底面に衝突して、跳ね返り、受け皿ボックス313の外へ飛び出そうとしても、このメダル飛散防止棒311に当たることにより、遊技メダルの飛散を抑えることができるものである。結果として、落下してくる遊技メダルが受け皿ボックス313の外へ飛び散ることを抑えることができる。また、受け皿ボックス313の手前側の左右の側壁の上端は、遊技者等が手で、その内部の遊技メダルを掴みやすいように、凹状に凹ませてある。
【００２６】
前記受け皿ボックス313の下面には、図６に示すような受け皿ボックス313を支持するための略三角筒状の補強支持リブ312が固定されている。この受け皿ボックス313と、補強支持リブ312とは、図７（Ｂ）に示すように、通常、一体となって取り扱われるように形成されている。
前記側部受け皿本体310には、スライド支持部320の後述するスライド摺動部324の内部をスライド可能なスライド部330が形成されている。このスライド部330は、受け皿ボックス313の左側側面から左側方向へ突出する上部スライド部331と、補強支持リブ312の下部に位置して、下方に向かって突出する下部スライド部332とからなる。前記上部スライド部331は、横断面形状が、略Ｔ字状に形成され、後述する上部スライド部331の内部のスライド摺動部324の内部に上方から下方に向かってスライド可能にはまり込むように、かかるスライド摺動部324の内部形状に整合するように形成されている。前記下部スライド部332は、補強支持リブ312の下部から下方に向かって延びる板状のものであって、後述する下部スライド支持部322の内部のスライド摺動部324に上方から下方に向かってスライド可能に嵌りこむことができるような断面形状に形成されている。
【００２７】
前記スライド支持部320は、前扉13の右側面に固定されて、受け皿ボックス313の上部スライド部331をスライドして固定させるための上部スライド支持部321と、上部スライド支持部321の下方の前扉13の右側面に固定されて、補強支持リブ312の下部スライド部332をスライドして固定させるための下部スライド支持部322とからなる。
前記上部スライド支持部321は、内部に断面形状が略Ｔ字状に開口するスライド摺動部324を有する。そして、上部スライド支持部321のスライド摺動部324の内部には、上部スライド部331が、そのスライド摺動部324の内部に装着されていることを検知可能な受け皿装着検知手段410が形成されている。具体的には、上部スライド部331がスライド摺動部324内部に入り込むことにより、受け皿装着検知手段410がスロットマシン1側に向かって押し込まれることにより、装着検知信号を出力するものである。
【００２８】
前記下部スライド支持部322は、全体形状が四角筒状である。この下部スライド支持部322は、その内部に断面が長方形状に開口するスライド摺動部324が形成されている。この下部スライド支持部322のスライド摺動部324は、補強支持リブ312の下部スライド部332がスライド可能に嵌りこむことができるように形成されている。
本形態に係る側部受け皿300は、前扉13を開いた状態で、スライド部330をスライド支持部320のスライド摺動部324から上方向にスライドさせることによって、図７（Ｂ）に示すように、側部受け皿本体310をスライド支持部320から取り外すことができる。また、逆に、前扉13を開いた状態で、スライド部330をスライド支持部320のスライド摺動部324へ挿入するとともに下方向にスライドさせることによって、側部受け皿本体310をスライド支持部320へ取り付けることができる。
【００２９】
また、側部受け皿本体310の受け皿ボックス313の内側の底面には、落下してきた遊技メダルの衝撃を吸収するための軟質樹脂やゴム等からなるクッション材を敷き詰めても良い。これにより、落下してきた遊技メダルの衝撃を低下させて、遊技メダルが周囲に飛散することを抑えることができる。
なお、ここで、スライド部330は、略板状のもので、スライド摺動部324は、内部にスライド部330を差し込み可能な開口を有するように形成されている。そして、スライド部330は、側部受け皿本体310から延びて、スライド支持部320のスライド摺動部324の内部に係合してスライド可能に形成されている。このスライド部330と、スライド摺動部324との形状は、図６に示すようなものに限定されるものではない。具体的には、特に図示していないが、スライド部330を、内部に開口を有するように形成し、スライド摺動部324を、スライド部330の内部開口に差し込み可能な略板状のものに形成しても良いものである。すなわち、スライド部330を、側部受け皿本体310から延びて、スライド支持部320のスライド摺動部324の略板状のものの外部と係合してスライド可能な開口を有するように形成するものである。また、このスライド支持部320とスライド部330とは、上部スライド支持部321及び上部スライド部331と、下部スライド支持部322及び下部スライド部332と２組あるので、開口を有するものと、その開口に差し込むものとを、上下で異なるように形成しても良いものである。
【００３０】
なお、筐体4の右側面には、図３に示すように、前扉13を閉じた状態で、側部受け皿本体310の上方向への移動を制限するための阻止体340が固定されている。
（阻止体340）
前記阻止体340は、前扉13を閉塞した際、スライド部330又は側部受け皿本体310を上方向に向かって取り外す際の移動位置に突出することにより、スライド部330がスライド支持部320からスライドして外れることを阻止するためのものである。この阻止体340は、図３に示すように、全体形状が略直方体状のものであって、奥側の左側面が筐体4の右側面に固定されているものである。前扉13を閉じた状態では、図３又は図７（Ａ）に示すように、側部受け皿本体310の上側に、阻止体340の手前側が突出しているため、側部受け皿本体310を上方へ向かって移動することができず、側部受け皿本体310をスライド支持部320から取り外すことができない。前扉13を開いた状態では、図７（Ｂ）に示すように、側部受け皿本体310の上側に、阻止体340は存在せず、側部受け皿本体310を上方へ向かって移動することができて、側部受け皿本体310を上方へ移動することにより側部受け皿本体310をスライド支持部320から取り外すことができる。なお、阻止体340の形状は、これに限定されるものではなく、側部受け皿本体310の上方への移動を阻止することができるようなものであれば、他の形状でも良いものである。
【００３１】
（前扉閉塞検知手段400）
前記前扉閉塞検知手段400は、図２に示すように、前扉13及び筐体4の上部に設けられて、前扉13が筐体4の正面開口部を閉塞していることを検知して、閉塞検知信号を出力するためのものである。具体的には、特に図示していないが、前扉閉塞検知手段400は、前扉13の右上の裏面側に位置して、奥側に向かって突出する凸部と、筐体4の右上の手前側で、前記凸部に整合ような位置に設けられ、かかる凸部が嵌り込むような凹部とを備えている。そして、この前扉閉塞検知手段400は、前扉13が筐体4の正面開口部を塞いで凹部に凸部が嵌りこんだ際、接触式センサーによって、前扉13が閉じた状態であることを検知し、閉塞検知信号をスロット側駆動制御手段450へ出力するように形成されている。なお、センサーの種類は、これに限定されるものではなく、前扉13を閉じた状態であることを検知することができるものであれば、他の位置に、近接スイッチ等の異なる種類のセンサーを設けても良いものである。
【００３２】
（受け皿装着検知手段410）
前記受け皿装着検知手段410は、図６又は図７に示すように、側部受け皿300が、前扉13の側部に装着されていることを検知して、装着検知信号をスロット側駆動制御手段450へ出力するためのものである。この受け皿装着検知手段410は、図６に示すように上部スライド支持部321のスライド摺動部324の内面に位置して、外側に向かって半球状のものが突出するようなボタン状のものである。この受け皿装着検知手段410の半球状のものが、常時は、ばねの付勢力によって突出している。そして、受け皿ボックス313の上部スライド部331が、上部スライド支持部321のスライド摺動部324の内部に入り込むことにより、内側に押されてスイッチがオン状態となり、装着検知信号を出力するものである。もちろん、突出している状態においてスイッチがオン状態となり、引っ込んでいる状態において、スイッチをオフ状態となるようにして、かかるオン状態からオフ状態への移行を検知して、装着検知信号を出力するようにしても良い。なお、センサーの種類は、これに限定されるものではなく、側部受け皿本体310をスライド支持部320に取り付けた状態であることを検知することができるものであれば、他の位置に、近接スイッチ等の異なる種類のセンサーを設けても良いものである。
【００３３】
（受け皿貯留量検知手段420）
前記受け皿貯留量検知手段420は、側部受け皿300の内部に貯留した遊技メダルの量が予め定めた所定量を超えることを検知して、貯留量検知信号を出力するためのものである。この受け皿貯留量検知手段420は、図３、図７に示すように、前扉13の右側の側面の内部に設けられている。この受け皿貯留量検知手段420の高さ方向の位置は、側部受け皿本体310を装着した状態で、側部受け皿本体310の上面より僅か上に形成されている。これにより、側部受け皿本体310の受け皿ボックス313の上面を超える位置まで、遊技メダルが山盛りになって貯留されると、受け皿貯留量検知手段420は、その遊技メダルの存在を検知して、貯留量検知信号をスロット側駆動制御手段450へ出力するものである。
【００３４】
前記受け皿貯留量検知手段420は、遊技メダルの接近や近傍の検出対象の有無を非接触で検出する近接スイッチ（センサー）からなるものであって、装着した側部受け皿本体310の上側付近に、遊技メダルが存在する存在情報を検知可能なものである。ここで、近接スイッチとして、検出領域内に磁界を発生させる誘導形近接スイッチを使用しているが、特に、これに限定されるものではなく、静電容量形近接スイッチや、超音波形近接スイッチや、光電形近接スイッチや、磁気形近接スイッチ等の他の種類の近接スイッチを使用しても良い。また、受け皿貯留量検知手段420は、上述したような検出対象である遊技メダルに直接、接触することなく検出することが可能な近接スイッチ（センサー）に限定されるものではなく、金属棒や針金等を突出させて、リミットスイッチ等の遊技メダルと直接、接触することによって検出する接触式検出方式の接触式センサーを使用することもできる。
【００３５】
なお、本形態では、受け皿貯留量検知手段420を、前扉13の側面に設けたが、設置位置は特にこの位置に限定されるものではなく、他の位置に設けても良い。具体的には、側部受け皿本体310の受け皿ボックス313の上部内面に設けても良いものである。また、受け皿貯留量検知手段420をメダル貸出機2の正面側に設けても良い。かかる場合、受け皿貯留量検知手段420の貯留量検知信号は、直接、貸出側駆動制御手段280へ出力され、上述したスロット側駆動制御手段450における判断制御を、貸出側駆動制御手段280で行うことになる。
（スロット側駆動制御手段450）
前記スロット側駆動制御手段450は、排出機構80のキャンセル開口49を開放させるために光伝達手段550を介して、メダル貸出機2の貸出側駆動制御手段280へ開放許可信号を出力するためのものである。
【００３６】
前記スロット側駆動制御手段450は、前扉閉塞検知手段400から閉塞検知信号が出力され、且つ、受け皿装着検知手段410から装着検知信号が出力されていることを条件として、光伝達手段550を介して、排出機構80の開閉板82を開いてキャンセル開口49を開放させるための開放許可信号を貸出側駆動制御手段280へ出力可能に形成されている。すなわち、前扉13が閉じて、側部受け皿300が所定位置に装着されている状態でなければ、開放許可信号は、出力されることはない。蛇腹ノズル301の下端に側部受け皿300が位置していない状態で、誤ってリセットスイッチ86を操作して、蛇腹ノズル301から排出される遊技メダルが、遊技ホールの床に散乱するようなことを回避するためのものである。
【００３７】
前記スロット側駆動制御手段450は、受け皿貯留量検知手段420から貯留量検知信号が出力されていないことを条件として、光伝達手段550を介して、排出機構80の開閉板82を開いてキャンセル開口49を開放させるための開放許可信号を貸出側駆動制御手段280へ出力可能に形成されている。すなわち、側部受け皿300の内部に、遊技メダルが一杯に貯留されている場合は、受け皿貯留量検知手段420からの貯留検知信号が出力されて、開放許可信号は出力されない。側部受け皿300の内部に、既に遊技メダルが一杯の状態で、誤ってリセットスイッチ86を操作して、蛇腹ノズル301から排出される遊技メダルが、側部受け皿300から溢れて遊技ホールの床に散乱するようなことを回避するためのものである。
【００３８】
結果として、スロット側駆動制御手段450は、下記（１）及び（２）の両方を満足することを条件として、光伝達手段550を介して、排出機構80の開閉板82を開いてキャンセル開口49を開放させるための開放許可信号を貸出側駆動制御手段280へ出力可能に形成されている。（１）前扉閉塞検知手段400から閉塞検知信号が出力され、且つ、受け皿装着検知手段410から装着検知信号が出力されていること
（２）受け皿貯留量検知手段420から貯留量検知信号が出力されていないこと
なお、本形態では、上述したように（１）及び（２）の両方の条件を満たすことを、開放許可信号の出力の条件としているが、（１）だけを満たすこと、或いは、（２）だけを満たすことを、開放許可信号の出力の条件に設定しても良い。
【００３９】
更に、上述した内容に追加して、スロット側駆動制御手段450は、スロットマシン1の遊技を終了させる際に操作する精算スイッチの入力に連動して開放許可信号を出力するように設定しても良い。この精算スイッチは、遊技を終了させる際、投入用の遊技メダルとして最大５０枚までクレジット可能なクレジットメダルとしてスロットマシン1内部に貯留している遊技メダルを遊技者に払い出すためのスイッチである。そして、このスロット側駆動制御手段450からの開放許可信号が、光伝達手段550を介して、貸出側駆動制御手段280へ入力され、貸出側駆動制御手段280が、排出機構80のソレノイド81を可動させて開閉孔85を開放させる。これにより、一括投入装置3内部に残っている遊技メダルを側部受け皿300へ排出させることができるものである。したがって、遊技者が遊技を終了させる際、一括投入装置3の内部に投入したままで、残っている遊技メダルを取り忘れることを防止することができる。
【００４０】
また、前扉13の右側には、メダル貸出機2の排出機構80の開閉板82を開放させることが許可されている状態であるか否かの情報を遊技者に向かって報知するためのキャンセル開口許可報知部560が形成されている。
（キャンセル開口許可報知部560）
前記キャンセル開口許可報知部560は、点灯状態により、メダル貸出機2の排出機構80の開閉板82を開放させることを許可されている状態であるか否かの情報、すなわち開閉板82が開放可能な状態であるか否かの情報を遊技者に向かって報知するためのものである。なお、このキャンセル開口許可報知部560の報知は、開閉板82を開閉可能な状態であることの報知であって、開閉板82の開放を報知しているものではない。したがって、キャンセル開口許可報知部560が開閉可能であることの報知が行われている状態において、遊技者がリセットスイッチ86を操作することによって、開閉板82が開放状態となる。本形態に係るスロットマシン1は、メダル貸出機2の排出機構80の開閉板82を開放させることを許可する開放許可信号の情報を、そのスロットマシンSの右側に隣接するメダル貸出機2への光の伝達により行う光伝達手段550を備えている。前記キャンセル開口許可報知部560は、かかる光伝達手段550の光を、手前側の遊技者にも見えるようにして、側部受け皿300への排出可否の情報を、遊技者にも報知しているものである。
【００４１】
（光伝達手段550）
上記光伝達手段550は、スロット側駆動制御手段450からの開放許可信号の情報を、メダル貸出機2への光の伝達により行うものである。この光伝達手段550は、図８に示すように、スロットマシン1の右側の側面近傍と、メダル貸出機2の左側の側面近傍との間に形成されている。
前記光伝達手段550は、スロットマシン1のメダル貸出機2側の側面近傍に位置して、スロット側駆動制御手段450から出力される開放許可信号を光信号として出力する伝達発光素子551と、メダル貸出機2のスロットマシン1側の側面近傍の伝達発光素子551に整合する位置に配置されて、伝達発光素子551の光信号を検知可能な光検知手段552とを備えている。
【００４２】
前記伝達発光素子551は、図８に示すように、スロットマシン1のメダル貸出機2側の側面より僅かに内部側に形成されているものであって、スロット側駆動制御手段450からの開放許可信号が入力された場合に、かかる開放許可信号を光信号として、発光するものである。そして、この伝達発光素子551は、図８に示すように、全体形状が略Ｌ字の光案内路553の角に配置されているものである。前記光案内路553は、前面側に向かって筒状に開口する報知用光案内路554と、側面側に向かって筒状に開口する発光側伝達用光案内路555とからなり、この報知用光案内路554及び発光側伝達用光案内路555が直交することにより全体形状が略Ｌ字状に形成されているものである。そして、この報知用光案内路554の奥側であり、発光側伝達用光案内路555の奥側でもある光案内路553の角部に伝達発光素子551が配置されている。すなわち、伝達発光素子551が発光している場合は、報知用光案内路554を通して、前面側へ伝達発光素子551の発光する光が届き、また、発光側伝達用光案内路555を通して、メダル貸出機2の側面側へ伝達発光素子551の発光が届くように形成されている。なお、報知用光案内路554の前面側の端部には、その開口する部分を塞ぐ透明のガラスからなる前面側ガラス557がはめこまれている。また、発光側伝達用光案内路555の側面側の端部には、その開口する部分を塞ぐ透明のガラスからなる発光側ガラス558がはめこまれている。
【００４３】
前記光検知手段552は、図８に示すように、メダル貸出機2のスロットマシン1側の側面より僅かに内部に形成されているものである。そして、この光検知手段552は、伝達発光素子551の光信号としての発光を、貸出側駆動制御手段280に伝達することができるように形成されている。この光検知手段552は、図８に示すように、全体形状が筒状の受光側伝達用光案内路556の奥側端部に配置されている。そして、この受光側伝達用光案内路556の外側端部には、その開口する部分を塞ぐ透明のガラスからなる受光側ガラス559がはめ込まれている。そして、この受光側伝達用光案内路556の中心軸と、発光側伝達用光案内路555の中心軸とが、同一線上に配置するように直線上に配置されているものである。すなわち、伝達発光素子551の点灯した光が、発光側伝達用光案内路555及び受光側伝達用光案内路556を通って、真っ直ぐ光検知手段552に届くことができるように形成されている。
【００４４】
そして、貸出側駆動制御手段280は、光検知手段552が伝達発光素子551からの開放許可信号としての光信号を、開放許可信号として認識した場合、排出機構80の開閉板82を開放可能な状態に設定する。なお、開放許可信号が入力されただけでは、貸出側駆動制御手段280は、開閉板82を開放しない。かかる開放可能な状態において、リセットスイッチ86が遊技者により押下された場合等に限って、貸出側駆動制御手段280は、排出機構80の開閉板82を開放し、遊技メダルや異物を、蛇腹ノズル301を介して、側部受け皿300へ移動させる。
光伝達手段550が、開閉板82の開放許可の情報を、光の伝達により、そのスロットマシン1に隣接するメダル貸出機2へ伝達することができる。このため、スロットマシン1と、メダル貸出機2との間に、かかる情報伝達を行うための電気信号を送出するためのケーブル等を設ける必要がない。これにより、遊技ホールにおけるスロットマシン1と、メダル貸出機2との設置作業を、かかるケーブルの接続作業等を不要にして、簡単なものにすることができる。また、スロットマシン1と、メダル貸出機2との交換時期が異なるような場合にも、上述した情報伝達のために両者を繋ぐケーブル等の取り外し作業等が不要となるため、交換作業を簡単なものにすることができる。
【００４５】
また、光伝達手段550の伝達発光素子551と、光検知手段552とは、それぞれスロットマシン1と、メダル貸出機2とが適正な位置に配置されて場合に、互いに整合する位置に設けてあるため、スロットマシン1と、メダル貸出機2との設置位置がずれているような場合、伝達発光素子551の光が、光検知手段552に届かない。このため、かかる光伝達手段550を用いて、所定の位置決め用の光信号を発生させて、それを光検知手段552により検知することができるか否かで、かかるスロットマシン1と、メダル貸出機2との設置位置の確認をすることが可能となり、両者の位置決めを容易なものにすることができる。
なお、ここで、本形態では、図８に示すように、光伝達手段550を用いて、スロットマシン1のスロット側駆動制御手段450からの開放許可信号を、メダル貸出機2へ伝達しているが、もちろん、上述した光伝達手段550等を使用せずに、スロットマシン1のスロット側駆動制御手段450からの開放許可信号の情報を、直接、電気信号を送出可能なケーブルを用いて、メダル貸出機2の貸出側駆動制御手段280へ伝達するようにしても良いものである。これにより、両者の位置関係に左右されずに確実に投入可否の情報を伝達することができる。
【００４６】
（メダル貸出機2）
前記メダル貸出機2は、スロットマシン1の側面側に隣接して設置される箱型の装置であって、金銭と引き替えに遊技メダルを貸し出すと共に、貸し出しメダル及び遊技者が投入する遊技メダルをスロットマシン1のメダル投入口10に投入するためのものである。すなわち、メダル貸出機2は、図２に示すように、外箱20と、投入される紙幣を検知及び貯留する紙幣カウンター22と、投入された紙幣に応じて遊技メダルを貸し出すメダル貸し出し部25、具体的には、貸し出しメダル払い出し装置23と、外箱20の正面側に位置して、遊技メダルをスロットマシン1へ移送するメダル移送機構3と、このメダル移送機構3の後述する移送部200のベルト53の回転駆動や、排出機構80の開閉板82の開閉を操作するためのソレノイド81等を制御する貸出側駆動制御手段280とを備えている。
【００４７】
前記紙幣カウンター22は、外箱20の正面下方に設けられた紙幣投入口21から投入された紙幣を読み取って、貸し出しメダル払い出し装置23に所定枚数の遊技メダルを払い出させるためのものである。
前記紙幣カウンター22には、図２に示すように、紙幣投入口21に投入された紙幣を検知して、紙幣検知信号を出力する紙幣センサー24を備えている。そして、前記メダル貸し出し部25、具体的には、貸し出しメダル払い出し装置23は、紙幣センサー24からの紙幣検知信号の入力を契機として、遊技メダルを遊技者に貸し出すためのものである。
なお、メダル貸出機2としては、紙幣投入口21及び紙幣カウンター22の他に、硬貨投入口や硬貨カウンター、釣り銭払い出し口などを有していてもよい。また、プリペイドカード投入口とカードリーダーとを有していてもよい。
【００４８】
前記メダル貸し出し部25としての貸し出しメダル払い出し装置23は、紙幣センサー24からの紙幣検知信号の入力を契機として、遊技メダルを遊技者に貸し出すためのものである。この貸し出しメダル払い出し装置23は、遊技メダルを払い出すためのいわゆるホッパー装置であり、特に図示しないが、遊技メダルを貯留しておくためのタンクと、このタンクに貯留されている遊技メダルを１枚ずつ排出可能な送り出し円板とを有している。この送り出し円板は、駆動モータに回転可能に軸止されており遊技メダルが入り込み可能な孔が形成されている。そして、この孔に入った遊技メダルを、回転に伴い１枚ずつ装置の外に排出することができるような機構に形成されている。また、貸し出しメダル払い出し装置23には排出メダルをカウントするためのセンサーが設けられていて、所定枚数の遊技メダルを払い出したら駆動モータが停止するように形成されている。
【００４９】
（メダル移送機構3）
前記メダル移送機構3は、前記貸し出しメダル払い出し装置23から払い出される遊技メダル、及び遊技者が投入する遊技メダルを、スロットマシン1のメダル投入口10に一括投入するための機構である。
具体的には、メダル移送機構3は、図１及び図３に示すように、大きく分けて、メダル貸出機2の外箱20の正面に取り付けられた本体カバー30と、この本体カバー30の内部に設けられて遊技メダルを送り出すためのメダル送り装置40と、前記本体カバー30の正面側に取り付けられてメダル送り装置40からの送り出された遊技メダルをスロットマシン1の側方移送通路12へ誘導するための投入口導入路60とを備えている。
【００５０】
（本体カバー30）
前記本体カバー30は、図２、図３に示すように、メダル貸出機2の外箱20の正面略中央部から手前側（スロットマシン1を正面から見た場合の手前側）に突出する箱形部材であり、上方に開口する一括投入開口31が形成され、図１に示すように、内部にはメダル送り装置40が内蔵されている。
また、一括投入開口31の手前側には、図１及び図３に示すように、上面に平坦部を有するカウンター状の張り出し部32が形成されている。この張り出し部32は、一括投入開口31の手前側及び側方に向かって張り出し、上方からみると略Ｕ字型に形成されている。そして、この一括投入開口31の周囲には、上から見て、両側部から手前に至るＵ字状に立設する立設部272が形成されている。一括投入開口31は、後述する本体ブロック41の受け入れ投入部48の落下孔271の上に位置するように設定されてあり、結果として、落下孔271の上方周囲に立設部272が位置するように形成されている。そして、この立設部272には、搬送装置50を作動及び作動停止させるための導電性を有する金属からなるベルト作動スイッチ273としての接触センサー274が敷設されている。したがって、接触センサー274も、立設部272に沿ってＵ字状に形成されている。もちろん、この接触センサー274は、かかるＵ字状に限定されるものではなく、張り出し部32の前面側に長方形状のものを形成しても良い。そして、張り出し部32の接触センサー274に手を触れることにより、搬送装置50の駆動モータ55が駆動し、張り出し部32の接触センサー274に触れている手を離すことにより、搬送装置50の駆動モータ55が駆動を停止するようになっている。具体的には、ベルト作動スイッチ273を予め定めた特定時間未満、操作すると、３枚の遊技メダルを側方移送通路12へ送り出すとともに、ベルト作動スイッチ273を予め定めた特定時間以上継続して操作すると、３枚を超える枚数の遊技メダルを側方移送通路12へ送り出すように形成されている。
【００５１】
そして、メダル貯め部44の奥側には、受け入れ投入部48と下方の外部とを連通させるキャンセル開口49が形成されている。そして、キャンセル開口49の下部には、キャンセル開口49を外部より開閉可能なスライド遮蔽板302が形成されている。このスライド遮蔽板302の一部は、外部に露出しており、それを外部から手でつまんで前後にスライドさせることにより、キャンセル開口49を開状態にしたり、閉状態にすることが可能なものである。そして、スライド遮蔽板302を手前側に移動して閉状態にすることにより、キャンセル開口49付近に、メダル送り装置40から排出される異物やキャンセルメダルを受け止める排出収納部93を形成することができる。なお、このスライド遮蔽板302は、通常時は、常に奥側に引っ張った開状態に設定してあるものである。このスライド遮蔽板302は、蛇腹ノズル301が取り付けられていない場合や、側部受け皿本体310が取り付けられていないような場合等の特別の場合にだけ、閉状態にするものである。したがって、かかる特別の場合を除いた通常時、キャンセル開口49は、排出機構80の開閉板82の開閉だけで、外部ヘ連通する開放状態か閉状態かが決定されるものである。
【００５２】
そして、キャンセル開口49の下方には、キャンセル開口49と連通する蛇腹ノズル301が取り付けられている。この蛇腹ノズル301は、蛇腹状であって、フレキシブルにその形状を変形可能に形成されているものである。そして、この蛇腹ノズル301の下端は、スロットマシン1の前扉13の横側面に取り付けられた側部受け皿300の上に位置するように設定されている。これにより、キャンセル開口49から排出される遊技メダルを、蛇腹ノズル301を介して、側部受け皿300の側部受け皿本体310の内部へ落下させることができる。前記張り出し部32の正面側には、ベルト53の作動状態を表示する回転表示部240が形成されている。
【００５３】
（回転表示部240）
前記回転表示部240は、移送部200のベルト53の作動状態と、排出機構80の開閉孔85の開閉状態とを遊技者に向かって表示するためのものである。そして、回転表示部240は、正面から見て右側に位置して青色に発光可能な青色発光部241と、正面から見て左側に位置して赤色に発光可能な赤色発光部242とから形成されている。そして、前記回転表示部240は、図３に示すように、張り出し部32の正面側の遊技者から視認可能な位置に形成されている。この回転表示部240は、青色発光部241及び赤色発光部242の２個の発光体の点灯及び消灯の組み合わせによって、ベルト53及び後述する排出機構80の作動状態を表示するものである。
【００５４】
（メダル送り装置40）
前記メダル送り装置40は、前記本体カバー30に内蔵された遊技メダルを送り出すための装置である。前記メダル送り装置40は、図１に示すように、前記本体カバー30の内側に設けられる箱状の本体ブロック41と、この本体ブロック41の内部に遊技メダルを搬送する搬送装置50（移送部200）と、搬送装置50の奥側下方に位置して残留した遊技メダル等を排出する排出機構80とを備えている。
（本体ブロック41）
前記本体ブロック41は、長さ方向略中央部に、上方に開口する受け入れ投入部48を有している。この受け入れ投入部48は、四角形に開口して遊技メダルを落下させる落下孔271を設けているものである。この受け入れ投入部48の奥側には、上方に開口し内部において前記受け入れ投入部48と連通する払い出し通路42が設けられている。この払い出し通路42の上方に開口した部分に、貸し出しメダル払い出し装置23から貸し出し用の遊技メダルが投入される。
【００５５】
そして、受け入れ投入部48の下方には、受け入れ投入部48或いは払い出し通路42から投入された遊技メダルを一時的に貯留するメダル貯め部44が形成されている。また、本体ブロック41の前方下部には、メダル貯め部44に貯留した遊技メダルを移送するベルト53を有する移送部200（搬送装置50）が内蔵されている。そして、本体ブロック41の正面側は、搬送装置50により送り出された遊技メダルを投入口導入路60に１枚ずつ排出するためのメダル排出部47となっている。そして、前記払い出し通路42を形成する内壁の底部であって、メダル貯め部44の底面に、開閉自在な開閉孔85を有する排出機構80が設けられている。前記受け入れ投入部48は、図１に示すように、一括投入開口31から投入される遊技メダルを受け入れるための開口であり、開口幅のほぼ中央部に、横方向にわたって設けられた仕切棒100を有している。これは、投入される遊技メダルを、極力同一方向に揃えるためである。すなわち、この仕切棒100があることにより、受け入れ投入部48に遊技メダルが縦向き（遊技メダルの表裏面が左右方向となる向き）で投入されることがないので、ランダムに投入される遊技メダルの向きを、横向き（遊技メダルの表裏面が前後方向となる向き）にして落下させるようになるものである。このように落下した場合には、遊技メダルの向きが揃っているので、受け入れ投入部48の下方に位置する空間であるメダル貯め部44に、遊技メダルが平積みとなるよう貯留させることができ、搬送装置50により搬送しやすくなる。
【００５６】
また、図１に示すように、受け入れ投入部48の手前側端部には、搬送装置50の上方空間を、受け入れ投入部48の下方に位置するメダル貯め部44と、メダル貯め部44よりも手前側に位置するメダル戻り部45とに分ける移動調整弁43が取り付けられている。移動調整弁43は、メダル貯め部44からメダル戻り部45へのメダル移動を阻止し、メダル戻り部45からメダル貯め部44へのメダル移動は適宜許容することにより、搬送装置50によるメダル移送をスムーズに行わせるためのものである。
前記払い出し通路42は、メダル貸出機2の貸し出しメダル払い出し装置23から貸し出される遊技メダルを受け入れて、前記メダル貯め部44に誘導するためのものである。払い出し通路42の底面は、奥側から手前側に向かって下り傾斜となっており、傾斜の前端部に開閉板82によって開閉可能な開閉孔85が形成されている。開閉板82が開閉孔85を閉じているときには、メダル貯め部44に遊技メダルが貯留される。そして、開閉板82が開閉孔85から開いた場合、メダル貯め部44又は搬送装置50のベルト53上にあるゴミなどの異物や遊技メダルは、キャンセル開口49に向かって落下する。このキャンセル開口49に向かって落下してきた異物や遊技メダルは、スライド遮蔽板302が閉じている状態の場合、スライド遮蔽板302の上側の排出収納部93に貯留され、スライド遮蔽板302が開いている状態の場合、キャンセル開口49から下方の蛇腹ノズル301内部へ投入される。そして、蛇腹ノズル301内部へ投入された異物や遊技メダルは、蛇腹ノズル301の下端から、スロットマシン1の前扉13の側面に取り付けられた側部受け皿300内部へ投入されることになる。そして、側部受け皿300内部に貯留された遊技メダルは、遊技者等が、手前側から外部へ向かって取り出すことができる。
【００５７】
（移動調整弁43）
前記移動調整弁43は、両端部から横方向に突出するピン46を有する支持部43Bに方形状の回動板43Aを取り付けた構成となっている。そして、本体ブロック41の両側面に形成された孔に前記ピン46を係合させることにより、ピン46を中心に前後方向に回動可能に形成されている。
また、本体ブロック41の内面には、移動調整弁43が垂下した状態で移動調整弁43のメダル戻り部45側に当接するストッパー43Cが突設されている。これにより、移動調整弁43は、垂下状態からメダル貯め部44側へは回動できるが、垂下状態からメダル戻り部45側への回動を阻止される。
【００５８】
そして、前記回動板43Aは、ウレタンなどの弾性部材で形成されており、一定以上の加圧により弾性変形するようになっている。さらに、移動調整弁43は、回動板43Aが垂下状態で、回動板43Aの下端部から後述する搬送装置50のベルト53の上面までの距離が、遊技メダルの直径よりも長くなるように形成してある。これは、回動板43Aの下方を遊技メダルが起立状態でも通過可能とするためである。
（搬送装置50（移送部200））
前記搬送装置50（移送部200）は、本体ブロック41の前方下部に内蔵されており、メダル貯め部44に投入又は払い出された遊技メダルを、水平状態（遊技メダルの表裏面が上下となる状態、すなわち遊技メダルの表面又は裏面が、上方向又は下方向に向かって臨むような状態）で１枚ずつ、投入口導入路60へと送り出すためのものである。具体的には、搬送装置50は、一対のローラー51（手前側ローラー51A及び奥側ローラー51B）と、この手前側ローラー51A及び奥側ローラー51Bの間に掛け渡されたベルト53（移送手段）と、このベルト53の手前側上方に送出間隙54をあけて設置された逆転ローラー52（戻し手段）と、ローラー51,52を回転させるための駆動モータ55と、この駆動モータ55のモータ軸の回転をローラー51,52に伝達するための伝達手段56（図４）とを有している。
【００５９】
前記ローラー51は、正面側から見て前後に並列して設けられている。また、前記ベルト53は、二つのローラー51A,51Bに掛け渡された平ベルトであり、表面にはゴム等を被覆して、遊技メダルとの摩擦抵抗を大きくするよう形成してある。そして、図１に示すように、手前側ローラー51Aの方が、奥側ローラー51Bよりも若干高い位置に取り付けられているので、ベルト53の上面は手前側に向かってやや上り傾斜となっており、ローラー51を図１に示す黒矢印（内部が黒色に塗られた矢印）の方向に回転させることにより、ベルト53の上面が手前側に移動するようになっている。
前記ローラー51と逆転ローラー52は、伝達手段56により同時に回転するようになっている。伝達手段56は、駆動モータ55の駆動軸、手前側ローラー51A、逆転ローラー52にそれぞれ設けられたギヤと、これらの各ギヤを連結するベルトであって、逆転ローラー52はローラー51と同一方向に回転するので、ベルト53の上面の進行方向と、逆転ローラー52の下側面の移動方向とが逆になる。また、前記伝達手段56の調整（直径の異なるギヤの組み合わせ）により、逆転ローラー52の回転速度の方が、ローラー51の回転速度よりも早くなるように形成されている。
【００６０】
そして、図１に示すように、逆転ローラー52の下端とベルト53の上面との間には、遊技メダル１枚の厚みよりも大きく、遊技メダル２枚分の厚みよりは小さい送出間隙54が形成されている。このため、遊技メダルが逆転ローラー52の上に複数枚、重なって逆転ローラー52側へ搬送されてくると、一番下の１枚の遊技メダルを残して、２枚目より上の遊技メダルは、逆転する逆転ローラー52によって後方に向かって蹴飛ばされるものである。これにより、ベルト53の上面に乗っている遊技メダルを、１枚ずつ手前側に送り出すとともに、ベルト53の上方であって逆転ローラー52の後方にある遊技メダルをメダル戻り部45に蹴り出すようになっている。
【００６１】
なお、本形態における逆転ローラー52には、図５に示すように、断面略台形の撹拌溝58が軸方向に沿って形成されている。撹拌溝58は、溝の端部で遊技メダルを引っ掛けるようにして、ベルト53の上方に積み重なった遊技メダルを効果的に後方に蹴り上げる役割を果たすものである。
ベルト53の前方側は、投入口導入路60のメダル受け口67と近接している。そして、ベルト53の上面に乗っている遊技メダルは、前記送出間隙54を潜ってメダル排出部47から投入口導入路60へと運ばれる。
前記移送部200は、ベルト53を正転（正回転、すなわち図１の黒矢印方向）することにより、遊技メダルを投入口導入路60へ移送させる移送方向と、ベルト53を逆転（逆回転、すなわち図１の黒矢印方向の逆回転方向）することにより、遊技メダルを投入口導入路60とは反対側のメダル貯め部44へ逆送させる逆送方向とのいずれの方向にも遊技メダルを移送可能に形成されている。すなわち、移送部200は、ベルト53を正転させた場合、ベルト53上のものを投入口導入路60へ移送し、ベルト53を逆転させた場合、ベルト53上のものを開閉孔85へ移送するように形成されている。なお、移送部200のベルト53を逆回転する場合には、逆転ローラー52は、内部機構により回転しないように形成されている。
【００６２】
（排出機構80）
前記排出機構80は、上方に突設された略円筒形の可動軸83を通電状態に応じて上下動させるソレノイド81と、一方の端部が前記可動軸83に軸支され、本体ブロック41に固定された固定軸84を支点として上下方向に揺動可能に形成された開閉板82を有している。そして、この開閉板82が固定軸84を中心に回動することにより、開閉孔85を開閉自在に形成するものである。
そして、可動軸83が下方に位置しているときには開閉板82が閉じた状態（図１参照）となり、可動軸83が上方に位置しているときには開閉板82が開いた状態となるよう形成されているものである。そして、ソレノイド81の作動で開閉板82を開くことにより、メダル送り装置40内部にあるメダルや異物などを、本体ブロック41の底面に形成されたキャンセル開口49から排出させることができるようになっている。排出機構80は、スロット側駆動制御手段450からの開放許可信号が、光伝達手段550を介して、貸出側駆動制御手段280へ入力されることを前提条件として、貸出側駆動制御手段280の命令により、開閉板82が開くように形成されている。また、排出機構80は、スロット側駆動制御手段450からの開放許可信号が、光伝達手段550を介して、貸出側駆動制御手段280へ入力されることを前提条件として、リセットスイッチ86（図３）の操作により開閉板82が開くように形成されている。
【００６３】
（投入口導入路60）
前記投入口導入路60は、スロットマシン1のメダル投入口10に遊技メダルを導入するために、スロットマシン1のメダル投入口10付近に設けて、スロットマシン1の側方から遊技メダルを前記メダル投入口10へ案内する側方移送通路12に、移送部200から遊技メダルを誘導させるためのものである。すなわち、前記投入口導入路60は、前記搬送装置50から送り出された遊技メダルをスロットマシン1のメダル投入口10に移送するためのものである。
前記投入口導入路60は、本体カバー30の正面側下部に取り付けられるベース部材62と、このベース部材62の前面側に位置して遊技メダルが通過可能なメダル移送スリットを有する通路部65と、ベース部材62の下端部に設けられたヒンジ63を介して、ベース部材62に回動自在に取り付けられたカバー部材61と、図３に示す可視部210より視認可能な通路部65を照射可能な発光部（図示せず）とを備えている。
【００６４】
そして投入口導入路60は、図３に示すように、メダル排出口66がスロットマシン1のメダル投入口10の側方移送通路12の端部と一直線上に配置されるよう設置される。この場合、メダル排出口66と側方移送通路12の端部とは必ずしも当接、合致する必要はなく、メダル排出口66から排出された遊技メダルが側方移送通路12に移動可能な間隙や高さの誤差があっても構わない。
（通路部65）
前記通路部65は、ベルト53から落下してきた遊技メダルを側方移送通路12へ案内するためのものである。前記通路部65は、ベース部材62の手前側に位置する固定板251と、この固定板251の手前側に位置する可動可能な可動板250と、前記固定板251の下部に位置して、遊技メダル１枚の厚みよりも僅かに大きい幅だけ手前側に突出した突出部252とを有している。すなわち、図１に示すように、固定板251と可動板250との間には、突出部252が挟まれて、遊技メダル１枚分の厚さよりやや大きい厚みを有し、遊技メダルの直径よりもやや大きい幅を有することにより、遊技メダルの移送が可能な通路部65が形成されているものである。この通路部65は、固定板251、可動板250及び突出部252により、遊技メダルが通過可能なメダル移送スリットを形成しているものである。
【００６５】
前記通路部65は、メダル受け口67からスロットマシン1側に略Ｌ字状に屈曲して、その端部がメダル排出口66となっている（図３参照）。すなわち、通路部65は、メダル排出部47から排出された遊技メダルをメダル受け口67から受け入れ、メダル排出口66から１枚ずつ、側方移送通路12を介して、スロットマシン1のメダル投入口10側に向かって排出するようになっている。
（固定板251）
前記固定板251は、ベース部材62の手前側に固定され、正面視で略Ｌ字状に形成されているものである。前記固定板251の上端部は、図１に示すように、下方から上方に向かって奥方向に湾曲する湾曲部62Aとなっており、この湾曲部62Aはメダル送り装置40のメダル排出部47と連通するメダル受け口67を形成する。
【００６６】
（可動板250）
前記可動板250は、固定板251の前面側に位置するものであり、通路部65の手前側の壁を形成するものである。この通路部65の可動板250は、全て透明樹脂から形成されている。この可動板250の側端の上端より僅か下（具体的には、可動板250の全高さのうち、上端から５分の１の位置）には、可動板250の回動可能に軸支する可動板回転軸（図示せず）が形成されている。そして、この可動板回転軸には、可動板250の上端を手前側に引っ張り、下端を奥側に引っ張る方向に付勢するバネが形成されている。常時は、可動板250の下端は、突出部252に当接しているため、可動板250は鉛直方向に立設した状態を保持する。そして、後述する詰まり解除ボタン260が押されると、詰まり解除ボタン260が可動板250の上部を奥側に押し込むことになり、可動板250は、可動板回転軸を回転の中心として、上端を奥側、下端を手前側に回転する。これにより、可動板250と、固定板251との間の通路部65の通路内部で遊技メダルが詰まっているような場合、可動板250の下端と、固定板251との間の隙間が開いて、カバー部材61の詰まりメダル排出口68から外部へ排出される。さらに、可動板250の手前側には、遊技メダルの通過を検知可能な詰まり検知手段230としての通過センサー231が設けられている。
【００６７】
（詰まり検知手段230（通過センサー231））
詰まり検知手段230は、遊技メダルの接近や近傍の検出対象の有無を非接触で検出する近接スイッチ（センサー）からなる通過センサー231であって、通路部65における遊技メダルの通過に伴う移動情報や、遊技メダルが移動せずに存在する存在情報を検知可能なものである。
ここで、通過センサー231は、近接スイッチとして、検出領域内に磁界を発生させる誘導形近接スイッチを使用しているが、特に、これに限定されるものではなく、他の種類の近接スイッチを使用しても良いものである。例えば、通過センサー231として、検出領域内に電界を発生させる静電容量形近接スイッチを使用しても良く、また、検出領域内で超音波を発生させる超音波形近接スイッチを使用しても良く、また、可視、不可視光線の反射又は遮光のいずれかにより遊技メダルを検出する光電形近接スイッチを使用しても良く、また、磁気検出素子と磁石の組み合わせにより、遊技メダルが接近したときの磁束変化を利用して検出する磁気形近接スイッチを使用しても良いものである。例えば、光電形近接スイッチを使用した場合は、光を発光する光センサー発光部と、この光センサー発光部から発光して固定板251側に取り付けた反射板（図示せず）に反射した光を受光する光センサー受光部とを備えているものである。可動板250と固定板251との間に遊技メダルが通過することにより或いは遊技メダルが詰まることにより、この光が遮断される状態を検知することができるものである。
【００６８】
また、通過センサー231は、上述したような検出対象である遊技メダルに直接、接触することなく検出することが可能な近接スイッチ（センサー）に限定されるものではなく、リミットスイッチ等の遊技メダルと直接、接触することによって検出する接触式検出方式の接触式センサーを使用することもできる。
ここで、通過センサー231は、特に図示しないが、通路部65の通路幅の中心からやや幅方向にずれた位置に設けてあるので、円形の遊技メダルが複数枚、連続した状態で通過しても通過センサー231の検知信号は必ず一定の波形を繰り返すものとなる。従って、メダル貸出機2の制御部においてこの波形を監視することにより、メダル移送の異常を検知することができる。例えば、通過センサー231が遊技メダルを検知し続けている場合には、通路部65の内部で遊技メダルが詰まっていることが想定される。このような場合には、詰まり解除ボタン260を押してメダル詰まりを解消することを促す警報などを行うと好適である。
【００６９】
一方、通過センサー231が遊技メダルを一定時間以上検出しない場合には、投入された遊技メダルをすべて送り終えたか、あるいは搬送装置50の内部などでメダル詰まりが発生しているかにより、メダル送り装置40が遊技メダルを送り出していない場合、又は可動板250が可動しており通過センサー231の検出範囲から外れた場合の、いずれかの場合が想定される。そこで、このような場合には、搬送装置50の駆動モータ55の駆動を停止させたり、或いはベルト53の回転を逆転させるように設定されている。そして、そのようなときに接触センサー274がＯＮとなっても駆動モータ55を駆動させないように制御しているものである。
【００７０】
（突出部252）
前記突出部は、通路部65の底を形成し、この突出部252の上を可動板250と固定板251とに挟まれた遊技メダルが、側方移送通路12へ向かって転がっていくように形成されている。
（カバー部材61）
前記カバー部材61は、カバー部材61の下部のヒンジ63を中心として回転可能であるとともに通路部65の前面を覆うものである。
前記ヒンジ63は、カバー部材61と、ベース部材62とを回動可能に軸支可能なものである。カバー部材61及びベース部材62の両者が開いてしまうことがないように、カバー部材61をベース部材62側に係止する係止手段290を備えている。この係止手段290は、カバー部材61の上部裏側に設けたアンカー爪状の係止部と、投入口導入路60の上方の本体カバー30の下面側に位置して、係止部のアンカー爪状の部分が係止可能な非係止部とから形成されている。そして、この係止部は、軟質樹脂から形成されてあり、弾性変形可能に形成されているものである。
【００７１】
前記カバー部材61の後述する詰まり解除ボタン260の上には、図３に示すように、表裏に開口して、上述した係止手段290の係止状態を解除するための係止解除孔293が形成されている。この係止解除孔293に、帯板状の例えば鍵や棒状等のドライバー等の差し込み片を押し込むことにより、押し込まれた差し込み片が、係止部を下方に向かって弾性変形させて、アンカー爪状の係止部が、非係止部から外れる。結果として、係止手段290の係止状態を解除することができる。
前記カバー部材61は、通路部65を遊技者側から視認可能な可視部210を備えている。この可視部210は、図２及び図３に示すように、カバー部材61の表裏に貫通する複数の長孔スリット状の貫通孔であって、外部からカバー部材61の奥の通路部65を覗けるように形成されている。この可視部210の長孔スリット状の長尺方向は、通路部65の遊技メダルの移動方向に沿って形成されている。これにより、遊技メダルの移動を視線で追うことができる。そして、カバー部材61の上部には、可動板250を可動させるための詰まり解除ボタン260が形成されている。そして、カバー部材61の下部には、下方に向かって開口する詰まりメダル排出口68が形成されている。この詰まりメダル排出口68は、詰まり解除ボタン260押下により可動板250を可動させて、可動板250と固定板251との間に詰まっていた遊技メダルを外部に排出するために開口しているものである。
【００７２】
（詰まり解除ボタン260）
前記詰まり解除ボタン260は、遊技メダルが通路部65で詰まったときに、可動板250の上部を押して可動板250を回動させて、通路部65内部に詰まった遊技メダルを下の詰まりメダル排出口68から排出させるためのものである。前記詰まり解除ボタン260は、遊技メダルが投入口導入路60を正常に流れている状態では、遊技者による何の操作もされずに、手前側に突出している状態を維持する。なお、この詰まり解除ボタン260は、内部のバネからなる付勢手段により、手前側に向かって突出する方向にバネの付勢力が加わっている。したがって、手で奥側に押し込んでも自動的に手前側に戻るように形成されている。
【００７３】
そして、投入口導入路60の通路部65の内部、例えばメダル受け口67の部分で複数の遊技メダルが詰まった場合、遊技者が、詰まり解除ボタン260を奥側に向かって押し込む。すると、詰まり解除ボタン260は、手前側に突出していた部分が奥側に向かって押し込まれ、詰まり解除ボタン260の奥側の先端が、可動板250の上部を奥側に向かって押すことになる。これにより、可動板250は、側端中央の水平方向の可動板回転軸（図示せず）を中心として回転して、下方側に向かって開いた状態となる。そして、可動板250と、固定板251との間に詰まっていた遊技メダルが下方に落下し、詰まりメダル排出口68から外部へ向かって排出される。結果として、通路部65での遊技メダルの詰まりを簡単に解除することができるものである。
【００７４】
（発光部）
前記発光部は、特に図示していないが、投入口導入路60の内部に位置して、可視部210より視認可能な通路部65を照射可能な位置に形成されている。この発光部は、ベース部材62に固定されたＬＥＤからなるものであって、赤色と、青色との２色の発光が可能なものである。そして、移送部200の作動時に所定の発光部を発光させ、その発光を可視部210から可視可能に形成してあるものである。そして、可視部210からは、通路部65を通過する遊技メダルを遊技者側から可視可能としたものである。これにより、遊技者は、カバー部材61で覆われた内部にある通路部65を通過する遊技メダルを明るい状態ではっきりと見ることができる。前記発光部は、詰まり検知手段によりメダル詰まりが検知された場合、メダル詰まりを検知していない正常作動時の発光色とは、異なる発光色で発光させるように形成されている。
【００７５】
（遊技メダルの移送）
次に、上記構成を有するメダル移送機構3における遊技メダルの移送過程を説明する。
まず、一括投入開口31から遊技メダルを投入すると、遊技メダルはベルト53の後方部上面と開閉板82の上面に積み重なるように落下し、メダル貯め部44に貯留される。また、メダル貸出機2に紙幣を投入した場合には、貸し出しメダル払い出し装置23から遊技メダルが払い出され、払い出し通路42を通ってメダル貯め部44に貯留される。次に、メダル移送機構3の張り出し部32のベルト作動スイッチ273としての接触センサー274を手で触れると、搬送装置50が作動を開始する。すなわち、駆動モータ55が駆動して、ベルト53が前方に回転開始する。
【００７６】
ベルト53が移動開始すると、ベルト53の後方部上面に乗っている遊技メダルが前方に移動し、その上方に貯まっているメダルも引きずられて、移動調整弁43の下方を潜ってメダル戻り部45に移動する。ここで、移動調整弁43は、ストッパー43Cに当接することにより、前方（メダル戻り部側）には回動しないので、メダル貯め部44の上部に貯留されている遊技メダルが、一気にメダル戻り部45に雪崩れ込むのを防ぐことができる。
ベルト53により前方に移送された遊技メダルのうち、ベルト53の上面に乗っている遊技メダルは、ベルト53と逆転ローラー52の下面との間の送出間隙54をすり抜けて、１枚ずつ、メダル排出部47へと移送される。一方、ベルト53の上方に重なっている遊技メダルは、逆転ローラー52と接触することにより、逆転ローラー52に設けられた撹拌溝58に引っかかり、上方後部のメダル戻り部45に蹴り戻される。逆転ローラー52は、ローラー51よりも高速回転しているので、効率よく遊技メダルを蹴り出すことができる。
【００７７】
ここで、メダル戻り部45に滞留する遊技メダルの量が多いと、逆転ローラー52によって後方に蹴り出すのに支障をきたし、送出間隙54でメダル詰まりが発生するおそれがある。しかし、移動調整弁43は、後方（メダル貯め部側）に回動可能に取り付けられているので、メダル戻り部45内の遊技メダルはメダル貯め部44に逆流し、メダル戻り部45の上方に空間が形成される。これにより、逆転ローラー52による遊技メダルの蹴り出しがスムーズに行われるものである。
搬送装置50から送り出された遊技メダルは、メダル排出部47から排出され、投入口導入路60の湾曲部62Aに誘導されつつメダル受け口67に入り、通路部65を通ってメダル排出口66から排出される。メダル排出口66はスロットマシン1のメダル投入口10の側方移送通路12と位置あわせされているので、遊技メダルはスロットマシン1の側方移送通路12を通って、スロットマシン1のメダル投入口10の上部投入開口11に投入される。
【００７８】
ところで、投入された遊技メダルを全て移送し終える前に搬送装置50の作動を停止させた場合（タッチセンサから手を離した場合）には、ベルト53の上面やメダル貯め部44に遊技メダルが残留したままとなる。この場合、遊技を終了するなどにより、残留している遊技メダルをスロットマシン1に投入したくない場合には、リセットスイッチ86（図３）を操作する。すると、スロット側駆動制御手段450からの開放許可信号の貸出側駆動制御手段280への入力を前提条件として、排出機構80のソレノイド81が作動して開閉板82を開くとともに、搬送装置50の駆動モータ55が逆転駆動する。これにより、ベルト53の上面にある遊技メダルは後方に移動し、開閉板82が開くことにより、メダル貯め部44の底部に開口するキャンセル開口49から下方に落下して、スライド遮蔽板302の上の排出収納部93に収納される。そして、スライド遮蔽板302を開けると、排出収納部93に貯留されていた遊技メダルは、蛇腹ノズル301の内部を通って、スロットマシン1の前扉13の側部に取り付けられた側部受け皿300の内部に落下する。その際、側部受け皿本体310の内部には、横方向に渡したメダル飛散防止棒311が設けられてあるので、遊技メダルが側部受け皿本体310の底面に衝突して、周囲に飛散しようとしても、メダル飛散防止棒311にぶつかり、遊技メダルの周囲への飛散が防止される。
【００７９】
このようにしてメダル送り装置40から排出された遊技メダルは、側部受け皿300の内部に貯留されるので、側部受け皿300の側部受け皿本体310の中に貯まった遊技メダルを取り出せばよい。なお、メダル送り装置40の内部に、ゴミなどの異物が混入した場合にも、上記したのと同様にして、側部受け皿300から取り出すことができる。
このように、本形態によれば、メダル貸出機2から貸し出される遊技メダルをスロットマシン1へ手で持って移動させなくても、あるいはスロットマシン1から入賞により払い出された遊技メダルを、１枚ずつ手でメダル投入口10に投入させなくても、メダル移送機構3によりメダル投入口10に投入することができ、遊技を効率的に行うことができる。また、メダル移送機構3には、移動調整弁43が設けてあるので、メダル送り装置40内部でのメダル詰まりを起こしにくく、メダル送り装置40から排出するときにメダル詰まりを起こした場合でも、詰まり解除ボタン260を押下して、可動板250を下方側に向かって開くことにより容易にメダル詰まりを解消できる。そして、排出機構80と側部受け皿300を設けてあるので、メダル送り装置40内の残留メダルや異物なども、外部から容易に取り出すことができる。さらに、搬送装置の逆転ローラー52には撹拌溝58が形成されているので、搬送装置50内部に滞留している遊技メダルを効率よく送り出すことができ、メダル詰まりを防止することができるのである。
【００８０】
（貸出側駆動制御手段280）
前記貸出側駆動制御手段280は、ベルト作動スイッチ273の操作に基づいて、移送部200のベルト53の回転駆動や、排出機構80の開閉孔85の開閉等を制御するためのものである。この貸出側駆動制御手段280は、遊技者によるベルト作動スイッチ273としての接触センサー274への接触によって、移送部200のベルト53を作動可能にしているものである。
前記貸出側駆動制御手段280は、ベルト作動スイッチ273を特定時間ｔ３未満、操作（すなわち、遊技者の指等が、通過センサー231を継続して接触）すると、通過センサー231によって確認される所定枚数の遊技メダルを側方移送路に送り出すように形成されている。そして、貸出側駆動制御手段280は、ベルト作動スイッチ273を特定時間ｔ３以上継続して操作（すなわち、遊技者の指等が、通過センサー231を継続して接触）すると、通過センサー231によって確認される所定枚数を超える枚数の遊技メダルを側方移送通路12に送り出し続けるように形成されている。
【００８１】
ここで、特定時間ｔ３とは、遊技開始の条件としての所定枚数（１回の遊技で投入可能な最大の遊技メダル枚数である３枚）の遊技メダルを側方移送通路12へ移送するに要する時間を意味している。なお、この時間は、実際の遊技毎に、遊技メダル３枚の実際の移送タイミングを測定して設定されるものである。したがって、遊技メダル３枚が移送される特定時間ｔ３より短い時間だけ、遊技者が接触センサー274に触ると、貸出側駆動制御手段280は、最大投入枚数である３枚の遊技メダルを移送部200から側方移送通路12へ移送する。そして、遊技メダル３枚が移送される特定時間ｔ３以上、遊技者が接触センサー274に触ると、貸出側駆動制御手段280は、３枚を超える枚数の遊技メダルを側方移送通路12へ移送する。具体的には、貸出側駆動制御手段280は、かかる特定時間ｔ３以上、遊技者が接触センサー274に触った場合、更に、遊技者が接触センサー274に触っている間だけ、移送部200から遊技メダルを移送するように形成されている。
【００８２】
更に、これに加えて、貸出側駆動制御手段280は、遊技者が、ベルト作動スイッチ273としての接触センサー274を継続して操作（接触）しても、通路部65の通過センサー231からの遊技メダルの通過の検知が所定時間ｔ６（ここでの所定時間ｔ６とは、予め設定されている特定の時間を意味するものであって、例えば５秒）ない場合、移送部200の回転方向を逆転させるように形成されている。
更に、これらに加えて、貸出側駆動制御手段280は、遊技者が、ベルト作動スイッチ273としての接触センサー274を継続して操作（接触）しても、通路部65の通過センサー231からの遊技メダルの通過の検知が予め定めた所定時間ｔ７（ここでの所定時間ｔ７とは、予め設定されている特定の時間を意味するものであって、例えば１０秒）ない場合、移送部200の作動を停止させるように形成されている。なお、ここで、逆転を開始させる所定時間ｔ６よりも、移送部200の全ての作動を停止させる所定時間ｔ７の方が長い時間（ｔ６＜ｔ７）に設定されてある。これは、先ず最初に、逆転させて、次に、全ての作動を停止させるためである。
【００８３】
更に、これらに加えて、貸出側駆動制御手段280は、メダル貸し出し部25からの貸し出しが終了した後、予め定めた特定時間ｔ１が経過すると移送部200の移送を停止させるように形成されている。これは、具体的には、貸出側駆動制御手段280は、通路部65の通過センサー231で遊技メダルの通過を検知した後、その後の遊技メダルの通過を検知することなく、予め定めた特定時間ｔ１経過すると移送部200の移送を停止させる（ベルト53の回転駆動を停止させる）ことを意味する。したがって、貸出側駆動制御手段280は、遊技メダルの通過が通過センサー231で検知されてから、特定時間ｔ１経過すると、当該遊技メダルは、最後の遊技メダルと判断して、ベルト53の回転を停止させるものである。
【００８４】
更に、これらに加えて、前記貸出側駆動制御手段280は、メダル貸出機2の電源をオフ状態からオン状態にしたときから予め定めた特定時間ｔ４（具体的には、例えば１２秒）まで、移送部200のベルト53を逆転させるように形成されている。かかる特定時間ｔ４に移送部200のベルト53を逆転させている間、スロットマシン1のスロット側駆動制御手段450からの開放許可信号が、光伝達手段550を介して、貸出側駆動制御手段280へ入力することを前提条件として、貸出側駆動制御手段280は、その制御命令により、排出機構80のソレノイド81を可動させて開閉孔85を開放させるように形成されている。遊技ホールにおいて、１日の営業を開始する朝、電源のスイッチをオン状態にしたときに、昨日から朝までにベルト53上に溜まったゴミ等を、メダル取り出し皿90の排出収納部93へ排出するためである。
【００８５】
或いは、これに代えて、貸出側駆動制御手段280は、メダル貸出機2の電源をオン状態からオフ状態にしたときから予め定めた特定時間ｔ５（具体的には、例えば１５秒）まで、移送部200のベルト53を逆転させるように形成しても良い。かかる特定時間ｔ５に移送部200のベルト53を逆転させている間、スロットマシン1のスロット側駆動制御手段450からの開放許可信号が、光伝達手段550を介して、貸出側駆動制御手段280へ入力することを前提条件として、貸出側駆動制御手段280は、その制御命令により、排出機構80のソレノイド81を可動させて開閉孔85を開放させるように形成されている。遊技ホールにおいて、１日の営業を終了する深夜、電源のスイッチをオフ状態にしたときに、ベルト53上に残った遊技メダルや、故意に投入された吸い殻等のゴミ等を、メダル取り出し皿90の排出収納部93へ排出するためである。もちろん、上述したオフ状態からオン状態の制御と、オン状態からオフ状態の制御との両方を併用することも可能である。
【００８６】
なお、特に記述していないが、貸出側駆動制御手段280の内部には、複数のタイマー手段と、予め定めた複数の特定時間（ｔ１、ｔ３、ｔ４、ｔ５、ｔ６、ｔ７等）を記憶する記憶手段と、このタイマー手段のタイマー時間が、予め定めた特定時間（ｔ１、ｔ３、ｔ４、ｔ５、ｔ６、ｔ７等）に到達したときに、所定の制御信号を発生させる制御信号発生手段等を備えているものである。
そして、スロットマシン1のスロット側駆動制御手段450からの開放許可信号が、光伝達手段550を介して、貸出側駆動制御手段280へ入力することを前提条件として、貸出側駆動制御手段280は、遊技者のリセットスイッチ86の操作により、排出機構80のソレノイド81を可動させて開閉孔85を開放させるように形成されている。
【００８７】
（光検知手段552）
前記光検知手段552は、既に光伝達手段550の箇所でも説明したように、伝達発光素子551からの光信号を、図８に示すように受光可能なものであって、かかる光信号を、貸出側駆動制御手段280へ伝達可能に形成されているものである。
（作用）
本形態に係る側部受け皿300の受け皿ボックス313は、メダル貸出機2の一括投入装置3のキャンセル開口49から、蛇腹ノズル301を介して、遊技メダルを受け入れ可能に連通している。これにより、メダル貸出機2の一括投入装置3のキャンセル開口49から返却される遊技メダルや溜まった異物等を、この側部受け皿300の受け皿ボックス313内部へ受け入れ、そのまま貯留することができる。
【００８８】
そして、側部受け皿300は、かかる返却する遊技メダルをスロットマシン1の向かって右側の側方で受けるように、スロットマシン1の前扉13右側の側部に着脱自在に形成されている。このように、側部受け皿300は、スロットマシン1の前扉13の側部に形成されてあり、遊技者から見て、直視することができて、大変、目立つ位置に形成されている。これにより、返却された遊技メダルを、取り忘れることを回避することができる。また、側部受け皿300は、前扉13の側部に位置しているため、手前側に向かって突出することなく、邪魔になることもなく、遊技者の手足が当たって、故障や破損することも無い。
スロット側駆動制御手段450は、前扉閉塞検知手段400から閉塞検知信号が出力され、且つ、受け皿貯留量検知手段420から装着検知信号が出力されていることを条件として、排出機構80を開放させるための開放許可信号を、光伝達手段550を介して、貸出側駆動制御手段280へ出力する。すなわち、スロット側駆動制御手段450は、前扉13が筐体4の正面開口部を閉塞し、且つ、側部受け皿300が前扉13の側部に装着されていなければ、光伝達手段550を介して、貸出側駆動制御手段280へ開放許可信号を出力せず、排出機構80の開閉板82を開放させることはない。これにより、側部受け皿300がスライド支持部320に固定されているが、前扉13を開いた状態の場合や、前扉13は閉塞状態であるが、側部受け皿300が所定位置に取り付けられていないような場合には、開放許可信号が出力されず、排出機構80の開閉板82が開放されることことはなく、誤ってかかる場合に、キャンセル開口49から返却される遊技メダルが排出されて、床へ散乱するようなことを回避することができる。また、かかる場合に、いわゆるゴトを実施しようとしても、排出機構80の開閉板82が開放されず、ゴト対策にもなる。
【００８９】
また、本形態では、側部受け皿300の受け皿ボックス313内部に貯留した遊技メダルの量が予め定めた所定量を超えて、受け皿貯留量検知手段420から貯留検知信号が出力されると、スロット側駆動制御手段450は、開放許可信号を出力せず、排出機構80の開閉板82が開かず、結果として、キャンセル開口49を開放させない。これにより、側部受け皿300の貯留量が多く、それ以上、更に、遊技メダルが追加されると、側部受け皿300から溢れてしまうようなことを回避することができる。
また、本形態では、前扉13を閉塞した際、筐体4に固定された直方体状の阻止体340が、手前側に向かって延設されて、側部受け皿本体310を取り外す際の移動位置に突出している。これにより、前扉13を閉塞した状態では、上方の阻止体340に衝突するため、側部受け皿本体310を、スライド支持部320から上方に向かってスライド移動させて取り外すことができなくなる。したがって、阻止体340の影響が出ないように、前扉13を開放した状態でなければ、側部受け皿本体310をスライド支持部320から外すことができず、遊技者等が、自由に側部受け皿300を取り外すようなことを防止することができる。
【００９０】
（第２の形態）
図１０から図１２は、第２の形態であって、図１０は側部受け皿本体の着脱状態を説明するための外観斜視図であって、（Ａ）は前扉を開いた状態で側部受け皿本体の着脱状態の外観斜視図、（Ｂ）は側部受け皿本体を横スライド支持部に取り付けて、前扉で筐体の正面開口部を閉じた状態の外観斜視図、図１１は側部受け皿本体の着脱状態の平面図、図１２は、その他の側部受け皿本体の着脱状態の平面図をそれぞれ示すものである。
本形態に係る側部受け皿300は、キャンセル開口49から排出される遊技メダルを受け入れるために上方に向かって開口する側部受け皿本体310と、前扉13の側部に固定されて、側部受け皿300をスライドして固定させるためのスライド摺動部324を有するスライド支持部320と、側部受け皿本体310から延びて、スライド支持部320のスライド摺動部324の内部をスライド可能なスライド部330とを備えている。そして、スライド摺動部324を、側部受け皿本体310が前扉13の奥方向に移動させることによって、外せるように奥方向に向かって案内するように形成している。そして、前扉13の閉塞時、側部受け皿300の奥方向への移動が右側に隣接するメダル貸出機2によって阻止されるように形成したことを特徴とするものである。その他の構成は、第１の形態と同様であって、同様の作用及び効果を奏することができるものである。
【００９１】
具体的に説明する。本形態では、図１０に示すように、側部受け皿本体310は、四角箱状であって、上面が開口する受け皿ボックス313である。そして、スライド部330は、この受け皿ボックス313の左側面に固定されて、前後方向に長手方向を有する全体形状が略Ｌ字状の横スライド部333から形成されている。そして、スライド支持部320は、図１０に示すように、スロットマシン1の前扉13の右側面に固定されて、横スライド部333を奥側から差し込み可能であって、その内部において差し込んだ横スライド部333を前後方向に摺動可能なスライド摺動部324を有する横スライド支持部323から形成されている。この横スライド支持部323の内部のスライド摺動部324は、横スライド支持部323の奥側端面において、奥側に向かって開口するものであり、横スライド部333を奥側から手前側に向かって差し込み可能に形成されている。そして、スライド摺動部324の手前側端面は、横スライド部333の手前側で前面側に向かって開口せずに、横スライド部333の内部で閉じた状態となっているものである。すなわち、図１０（Ａ）の黒矢印及び図１１の２点鎖線で描いたものを説明する黒矢印に示すように、横スライド部333を横スライド支持部323のスライド摺動部324内部へ奥側から手前側に向かって差し込むと、横スライド部333の手前側の端面が、スライド摺動部324の手前側の端面に当接することにより手前側の方向への移動が制限される状態となる。そして、そのまま前扉13を筐体4の正面開口部を塞ぐように閉じると、図１０（Ｂ）及び図１１の実線に示すように、側部受け皿本体310の奥側には、隣接するメダル貸出機2の前面側が位置する。側部受け皿本体310は、上述したように奥側に摺動させないと横スライド支持部323から取り外すことができないため、かかる前扉13を閉じた状態では、側部受け皿本体310を横スライド支持部323から取り外すことはできない。したがって、通常は、遊技ホールの管理者等の当該スロットマシン1の前扉13の開閉用の鍵を持っている者だけが、前扉13を開閉することができ、同時に、側部受け皿本体310の取り外しが可能な者となる。これにより、遊技者等が、側部受け皿本体310を取り外すことを回避することができるとともに、その管理も、従来から使用している前扉13の開閉用の鍵だけで済むことになる。
【００９２】
なお、筐体4と、前扉13との左右方向の巾は、同一の場合は、上述したように隣接するメダル貸出機2によって、前扉13を閉じた状態での側部受け皿本体310の奥方向への移動を阻止している。ここで、図１２に示すように、前扉13よりも、筐体4の左右方向の幅を右側に僅かに突出させることにより、筐体4によって、前扉13を閉じた状態での側部受け皿本体310の奥方向への移動を阻止するようにしても良いものである。
また、ここで、本形態では、側部受け皿本体310の移動を上述したように、筐体4又はメダル貸出機2によって、或いは、筐体4及びメダル貸出機2によって制限するように設定している。更に、これに加えて、筐体4又はメダル貸出機2に固定して、前扉13を閉塞した際、側部受け皿本体310を取り外す際の移動位置に突出することにより、側部受け皿本体310の横スライド部333が、横スライド支持部323からスライドして外れることを阻止するような阻止体（図示せず）を設けても良い。
【図面の簡単な説明】
【００９３】
【図１】本発明の第１の形態であって、メダル移送機構を示す縦断面図である。
【図２】本発明の第１の形態であって、スロットマシン及びメダル貸出機を示す外観斜視図である。
【図３】本発明の第１の形態であって、メダル移送機構及びメダル投入口を示す拡大斜視図である。
【図４】本発明の第１の形態であって、メダル送り装置を示す外観斜視図である。
【図５】本発明の第１の形態であって、メダル送り装置を示す縦断面斜視図である。
【図６】本発明の第１の形態であって、側部受け皿及びスライド支持部を示す分解斜視図である。
【図７】本発明の第１の形態であって、（Ａ）は側部受け皿をスライド支持部に装着した状態を示す外観正面図、（Ｂ）は側部受け皿をスライド支持部から取り外す状態を示す外観正面図である。
【図８】本発明の第１の形態であって、光伝達手段を示す部分概略平面図である。
【図９】本発明の第１の形態であって、遊技機を示す外観正面図である。
【図１０】本発明の第２の形態であって、（Ａ）は前扉を開いた状態で側部受け皿本体の着脱状態を示す外観斜視図、（Ｂ）は側部受け皿本体を横スライド支持部に取り付けて、前扉で筐体の正面開口部を閉じた状態を示す外観斜視図である。
【図１１】本発明の第２の形態であって、側部受け皿本体の着脱状態を示す平面図である。
【図１２】本発明の第２の形態であって、その他の側部受け皿本体の着脱状態を示す平面図である。
【符号の説明】
【００９４】
1  スロットマシン                      2  メダル貸出機
3  一括投入装置                        4  筐体
10  メダル投入口                        11  上部投入開口
12  側方移送通路                        13  前扉
14  図柄表示窓                          15  下皿
16  操作部                              20  外箱
21  紙幣投入口                          22  紙幣カウンター
23  貸し出しメダル払い出し装置          24  紙幣センサー
25  メダル貸し出し部                    30  本体カバー
31  一括投入開口                        32  張り出し部
40  メダル送り装置                      41  本体ブロック
42  払い出し通路                        43  移動調整弁
43A  回動板                            43B  支持部
43C  ストッパー                        44  メダル貯め部
45  メダル戻り部                        46  ピン
47  メダル排出部                        48  受け入れ投入部
49  キャンセル開口                      50  搬送装置
51  ローラー                            51A  手前側ローラー
51B  奥側ローラー                      52  逆転ローラー
53  ベルト                              54  送出間隙
55  駆動モータ                          56  伝達手段
58  撹拌溝                              60  投入口導入路
61  カバー部材                          62  ベース部材
62A  湾曲部                            63  ヒンジ
65  通路部                              66  メダル排出口
67  メダル受け口                        68  詰まりメダル排出口
80  排出機構                            81  ソレノイド
82  開閉板                              83  可動軸
84  固定軸                              85  開閉孔
86  リセットスイッチ                    93  排出収納部
100  仕切棒                            200  移送部
210  可視部                            230  詰まり検知手段
231  通過センサー                      240  回転表示部
241  青色発光部                        242  赤色発光部
250  可動板                            251  固定板
252  突出部                            260  詰まり解除ボタン
271  落下孔                            272  立設部
273  ベルト作動スイッチ                274  接触センサー
280  貸出側駆動制御手段                290  係止手段
293  係止解除孔                        300  側部受け皿
301  蛇腹ノズル                        302  スライド遮蔽板
310  側部受け皿本体                    311  メダル飛散防止棒
312  補強支持リブ                      313  受け皿ボックス
320  スライド支持部                    321  上部スライド支持部
322  下部スライド支持部                323  横スライド支持部
324  スライド摺動部                    330  スライド部
331  上部スライド部                    332  下部スライド部
333  横スライド部                      340  阻止体
400  前扉閉塞検知手段                  410  受け皿装着検知手段
420  受け皿貯留量検知手段              450  スロット側駆動制御手段
550  光伝達手段                        551  伝達発光素子
552  光検知手段                        553  光案内路
554  報知用光案内路                    555  発光側伝達用光案内路
556  受光側伝達用光案内路              557  前面側ガラス
558  発光側ガラス                      559  受光側ガラス
560  キャンセル開口許可報知部
【図１】
0004413846.tif 000002
【図２】
0004413846.tif 000003
【図３】
0004413846.tif 000004
【図４】
0004413846.tif 000005
【図５】
0004413846.tif 000006
【図６】
0004413846.tif 000007
【図７】
0004413846.tif 000008
【図８】
0004413846.tif 000009
【図９】
0004413846.tif 000010
【図１０】
0004413846.tif 000011
【図１１】
0004413846.tif 000012
【図１２】
0004413846.tif 000013